(57)【特許請求の範囲】
【請求項１】
ほぼ長方形をなすネットシートと、該ネットシートの長手方向の両側縁に沿ってそれぞれネットと一体に設けられた少なくとも２本の筒状体とを有する担架シートと、前記各筒状体中をそれぞれ通る少なくとも２本の紐状体と、前記紐状体を介して前記担架シートを支持する枠体と、を有する入浴用担架であって、
前記筒状体と前記紐状体との相対的な位置関係のずれを防止する位置ずれ防止手段を具備することを特徴とする入浴用担架。
【請求項２】
前記位置ずれ防止手段は、前記筒状体と前記紐状体との間の摩擦を増大させるものである請求項１に記載の入浴用担架。
【請求項３】
前記位置ずれ防止手段は、前記筒状体と前記紐状体とを剥離自在に係着させるものである請求項１に記載の入浴用担架。
【請求項４】
前記位置ずれ防止手段は、前記筒状体と前記紐状体の各々に設けられ、互いに剥離自在に係着する面ファスナ片である請求項３に記載の入浴用担架。
【発明の詳細な説明】
【０００１】
【発明の属する技術分野】
本発明は、介護が必要とされる入浴者を介護人が入浴させるときに用いる入浴用担架に関するものであり、特に、浴槽と組合せて使用する入浴用担架に関するものである。
【０００２】
【従来の技術】
従来構造の入浴用担架を浴槽に載置した状態を図５に示す。
【０００３】
この入浴用担架１ａは、図５に示すように、略平行に所定間隔をおいて設けられた一対の左右把手管１１、１１と、これらの上部、下部を連結する上部連結管１２、下部連結管１３とにより構成された枠体１０と、該枠体１０内に配置された担架シート２０とを有し、担架シート２０の両側縁に沿って設けられた筒状体２２、２２の内部を通る固定用ベルト３０、３０をハンドル１４の回転による巻き取り機構（牽引機構）によって牽引または弛緩させることが可能な構造となっている。なお、前述した巻き取り機構は、例えば、実公平６―３５７６に記載されている入浴用担架ネット巻き取り機構のような巻き取り機構であり、ハンドル１４の回転により、下部連結管１３側のワイヤー１５を枠体１０内に引き込んだり引き出したりすることが可能となっている。
【０００４】
そして、図５に示すように、浴槽２の上部にこの入浴用担架１ａを載置した状態で、前述した巻き取り機構により固定用ベルト３０、３０をワイヤー１５によって牽引または弛緩することによって、担架シート２０上に横たわった入浴者を浴槽２内に降下させたり、浴槽２の上方へと引き上げたりすることが可能となっている。
【０００５】
この入浴用担架１ａにおいて、前記担架シート２０は、ほぼ長方形のネットシート２１の長手方向両側縁に、一対の筒状体（扁平筒状体）２２、２２を一体に設け、これらの筒状体２２、２２の間に補強用ベルト２３を幅方向に複数設けたものである。なお、この担架シート２０は、前記固定用ベルト３０、３０の両端を前記枠体１０に連結されたワイヤー１５や、固定部１７ａ、１７ｂに固定することで前記枠体１０に取り付けられている。
【０００６】
【発明が解決しようとする課題】
この入浴用担架１ａに使用されている担架シート２０は、単に前記筒状体２２に前記固定用ベルト３０を通しただけの構造であり、前記筒状体２２と前記固定用ベルト３０との相対的な位置関係を保持する機能を有していなかったため、該担架シート２０上に入浴者を載置し、浴槽２内へと降下させた場合に、前記固定用ベルト３０、３０と前記筒状体２２、２２とが位置ずれをおこし、それによって該担架シート２０が弛んで浴槽２の下方へと沈み込み、さらに該担架シート２０上に載置された入浴者が該担架シート２０とともに浴槽２内に沈み込んでしまう可能性があった。
【０００７】
上記問題点に鑑み、本発明の入浴用担架は、担架シート上に入浴者を載置し、浴槽内へと降下させた場合に、担架シートと固定用ベルトとの位置ずれを防止する機能を備えた入浴用担架を提供することを目的とする。
【０００８】
【課題を解決するための手段】
上記目的を達成するため、本発明の入浴用担架は、以下の（１）ないし（４）の構成を備えている。
【０００９】
（１）  ほぼ長方形をなすネットシートと、該ネットシートの長手方向の両側縁に沿ってそれぞれネットと一体に設けられた少なくとも２本の筒状体とを有する担架シートと、前記各筒状体中をそれぞれ通る少なくとも２本の紐状体と、前記紐状体を介して前記担架シートを支持する枠体と、を有する入浴用担架であって、
前記筒状体と前記紐状体との相対的な位置関係のずれを防止する位置ずれ防止手段を具備することを特徴とする入浴用担架。
【００１０】
（２）  前記位置ずれ防止手段は、前記筒状体と前記紐状体との間の摩擦を増大させるものである上記（１）に記載の入浴用担架。
【００１６】
（３）  前記位置ずれ防止手段は、前記筒状体と前記紐状体とを剥離自在に係着させるものである上記（１）に記載の入浴用担架。
【００１７】
（４）  前記位置ずれ防止手段は、前記筒状体と前記紐状体の各々に設けられ、互いに剥離自在に係着する面ファスナ片である上記（３）に記載の入浴用担架。
【００１８】
本発明の他の目的、作用および効果は、図面を参照して行う以下の実施形態の説明から、より明らかとなるであろう。
【００１９】
【発明の実施の形態】
以下、本発明の入浴用担架の好適実施形態を図面を参照して説明する。
【００２０】
図１は、本発明の入浴用担架の好適実施形態に係る全体構成および該入浴用担架が載置される浴槽を示す斜視図である。図２は、本発明の入浴用担架に係る担架シートおよび固定用ベルトの平面図、図３は図２におけるＡ-Ａ′線断面図、図４は、図２におけるＢ-Ｂ′線断面図である。
【００２１】
なお、図５に示した従来の入浴用担架１ａの構造と同一の機能を有する構成要素には同一の符号を付記する。
【００２２】
本発明の入浴用担架１は、図１に示すように、ほぼ長方形の枠体１０と、該枠体１０内に位置し、入浴者を載置するための担架シート２０と、該担架シート２０を保持するための固定用ベルト３０とによって構成されている。
【００２３】
より詳しく説明すると、該入浴用担架１は、図１に示すように、略平行に所定間隔をおいて設けられた一対の左右把手管１１、１１と、これらの上部および下部を連結する上部連結管１２および下部連結管１３とにより構成された枠体１０と、該枠体１０内に配置された担架シート２０とを有し、該担架シート２０の長手方向両縁部に沿って一体に設けられた筒状体（扁平筒状体）２２、２２を通って延びる固定用ベルト３０、３０を枠体１０へと固定し、ハンドル１４の回転による巻き取り機構（牽引機構）によって固定用ベルト３０を緊張または弛緩させることが可能な構造となっている。なお、前記巻き取り機構は、前述した従来の入浴用担架１ａと同様に、例えば実公平６―３５７６に記載されている入浴用の担架ネット巻き取り機構のような巻き取り機構であり、ハンドル１４の回転により、下部連結管１３側のワイヤー１５を固定部１７ｂ、１７ｂから枠体１０内に巻き取ることが可能となっている。
【００２４】
そして、前述した従来の入浴用担架１ａと同様に、図１に示すように、浴槽２の上部にこの入浴用担架１を載置した際に、ハンドル１４を所定方向に回転させることによって、固定用ベルト３０、３０を前記枠体１０の下部連結管１３側に引き寄せ、担架シート２０に横たわった入浴者を浴槽２の上方へと上昇させたり、あるいはハンドル１４を前述した方向と逆の方向に回転させることによって固定用ベルト３０、３０を弛緩させ、入浴者を浴槽２内へと下降させることが可能となっている。
【００２５】
担架シート２０は、図１および図２に示すように、ほぼ長方形のネットシート２１の長手方向両側縁に、前述した一対の筒状体（偏平筒状体）２２、２２を一体に設け、これらの筒状体２２、２２の間に複数の補強用ベルト２３を設けたものである。
【００２６】
より詳しくは、ネットシート２１は、入浴時の水はけを良くするため、ナイロン等のネット素材でほぼ長方形に形成されている。
【００２７】
また、前記筒状体２２、２２は、担架シート２０の長手方向両側縁に沿ってナイロン等の布地を筒状に縫着することにより形成されている。
【００２８】
各筒状体２２は、その両端面に開口を有しており、また前記ネットシート２１の長手方向の長さとほぼ等しい長さを有しており、ネットシート２１の各側縁の全てを覆うようになっている。
【００２９】
また、前記補強用ベルト２３は、ネットシート２１の幅方向の伸びを規制し、ネットシート２１を補強するために設けられており、ナイロン等の素材によって形成されている。
【００３０】
固定用ベルト３０は、ポリプロピレン等の素材を平帯状に形成した紐状体であり、前述したように、担架シート２０の両側縁部に設けられた筒状体２２に挿通され、担架シート２０の長手方向の両端から延出するようになっている。また、この固定用ベルト３０の上端部３１および下端部３２は、それぞれ折り返されてループ状に縫着されており、該上端部は、枠体１０の固定部１７ａに取り付けられており、該下端部３２は、前述した巻き取り機構のワイヤー１５と、Ｃリング１６を介して接続されている。
【００３１】
さらに、上述した本発明の入浴用担架１は、図１に示すように、前記筒状体２２、２２と、前記固定用ベルト３０、３０との相対的な位置関係のずれを防止する第１および第２の位置ずれ防止手段（位置ずれ防止部材４０ａ、４０ｂ、面ファスナ片４５ａ、４５ｂ）を有している。
【００３２】
すなわち、前記第１の位置ずれ防止手段は、前記筒状体２２、２２と前記固定用ベルト３０、３０との間の摩擦を増大させることにより、該筒状体２２、２２と前記固定用ベルト３０、３０との間の相対的な位置関係のずれを防止するように機能する一対の位置ずれ防止部材４０ａ、４０ｂから構成されている。また、前記第２の位置ずれ防止手段は、各筒状体２２を各固定用ベルト３０に剥離自在に係着させる面ファスナ片４５ａ、４５ｂから構成されている。前記面ファスナ片４５ａは前記筒状体２２に、前記面ファスナ片４５ｂは固定用ベルト３０にそれぞれ設けられている。
【００３３】
より詳しくは、前記第１の位置ずれ防止手段としての位置ずれ防止部材４０は、たとえばポリエステルなどによって形成されたほぼ長方形をなす布地片に、前記固定用ベルト３０との摩擦係数が大きな素材、たとえばＰＶＣ、ＤＯＰなどの可撓性を有する軟質塩化ビニル等の樹脂をコーティングすることによって形成されている。また、該位置ずれ防止部材４０は、図１および２に示すように、隣接する２本の前記補強用ベルト２３ａおよび２３ｂの間に設けられている。
【００３４】
また、該位置ずれ防止部材４０は、縫合によって前記筒状体２２に取り付けられている。
【００３５】
また、前記位置ずれ防止部材４０は、図３に示すように、前記筒状体２２の内面の上下両面に設けられており、上側に位置する位置ずれ防止部材４０ａの当接面４１ａが下側に位置する該位置ずれ防止部材４０ｂの当接面４１ｂと対向するように構成されている。そして、そのような構造を用いることで前記担架シート２０の表側、裏側のいずれの面に入浴者を載置した場合にも前記筒状体２２と前記補強用ベルト２３との位置ずれが防止されるようになっており、当該担架シート２０を表裏関係なく使用することができるようになっている。
【００３６】
また、本実施形態においては、前記位置ずれ防止部材４０の長さは、図２に示すように隣接する２本の前記補強用ベルト２３ａおよび２３ｂの間隔Ｗとほぼ同一に形成されており、該補強用ベルト２３ａおよび２３ｂの間に設けられている。そのため、前記補強用ベルト２３ａおよび２３ｂと前記位置ずれ防止部材とを縫合する際に、これらの部材が互いに干渉することがないようになっており、縫合作業の容易な構造となっている。
【００３７】
また、前記位置ずれ防止部材４０は、図１に示すように、当該担架シート２０に入浴者が載置された際に、入浴者の臀部の左右両側付近に位置するように構成されている。
【００３８】
このような構成とする第１の理由としては、当該担架シート２０に入浴者が載置された際に、入浴者の体重の大半が臀部で支持されることから、該臀部の左右に位置する前記筒状体２２の部位に筒状体２２の全体のうちで最も大きな力がかかるためである。
【００３９】
また、このような構成とする第２の理由としては、当該担架シート２０に入浴者が載置された際に、入浴者の臀部の丸みに沿って該臀部の下に位置する前記担架シート２０がＵ字状に撓み、その撓みによって該臀部の左右に位置する前記筒状体２２もＵ字状に撓むためである。
【００４０】
これらの２つの理由から、入浴者の臀部の左右に位置する前記筒状体２２の内面に、前述したように前記固定用ベルト３０との摩擦係数の大きな樹脂が表面に設けられた位置ずれ防止部材４０を配置すれば、該位置ずれ防止部材４０と前記固定用ベルト３０とが互いに強い力で圧接し、しかも該位置ずれ防止部材４０と前記固定用ベルト３０とが前述したようにＵ字状に撓んだ形状となっているため、該位置ずれ防止部材４０と前記固定用ベルト３０との間に強い摩擦力が発生する。
【００４１】
したがって、本実施形態の担架シート２０は、前述した理由から少ない面積の位置ずれ防止部材４０で前記担架シート２０と前記固定用ベルト３０との位置ずれが効率良く防止できる構造となっている。
【００４２】
また、本実施形態においては、前記筒状体２２の内面全体に占める前記位置ずれ防止部材４０の面積の割合が少なくなっているため、前記筒状体２２に前記固定用ベルト３０を通す際に、前記位置ずれ防止部材４０が前記固定用ベルト３０の通過の邪魔になりにくくなっている。
【００４３】
前記第２の位置ずれ防止手段としての面ファスナ片４５ａ、４５ｂは、図４に示すように、前記筒状体２２の内面上部と前記固定用ベルト３０の上面にそれぞれ取り付けられている。ここで、前記面ファスナ片４５ａ、４５ｂとは、樹脂などで形成され、衣服や雑貨などに設けられる面状のファスナーであり、雄形状となっている一方の面ファスナ片と、雌形状となっている他方の面ファスナ片とが互いに剥離自在に係着するものである。
【００４４】
より詳しくは、本実施形態においては、図１および図４に示すように、前記担架シート２０に入浴者を載置した際に入浴者の頭部が位置する側の端部付近かつ前記筒状体２２の内面の上側に雄形状の面ファスナ片４５ａを設け、該雄形状の面ファスナ片４５ａに対応する位置かつ前記固定用ベルト３０の上面に雌形状の面ファスナ片４５ｂを設けており、これらの面ファスナ片４５ａおよび４５ｂが当接した際に、これらが係着するようになっている。それにより、前記筒状体２２に対する前記固定用ベルト３０の位置ずれが防止されるようになっている。
【００４５】
このように、本実施形態においては、前記位置ずれ防止部材４０ａ、４０ｂおよび前記面ファスナ片４５ａ、４５ｂの２種類の位置ずれ防止手段を併用することで、前記筒状体２２と前記固定用ベルト３０との位置ずれが確実に防止されるようになっている。
【００４６】
なお、本実施形態では、前記位置ずれ防止部材４０を前記筒状体２２と別部材で設け、それらを縫合することによって前記筒状体２２に位置ずれ防止手段を取り付けているが、本実施形態に限らず、前記筒状体２２の内面に前述したＰＶＣ、ＤＯＰなどの軟質塩化ビニル樹脂を直接コーティングすることによって前記筒状体２２と前記固定用ベルト３０との位置ずれを防止することも可能である。
【００４７】
このように、本発明の入浴用担架１には、入浴者を載置する担架シートの両側部に位置する筒状体と該筒状体に挿通される固定用ベルトとの間に第１および第２の位置ずれ防止手段をなす位置ずれ防止部材４０ａ、４０ｂおよび面ファスナ片４５ａ、４５ｂが設けられているため、入浴者を担架シートへと載置した際に、前記筒状体と前記固定用ベルトとの相対的な位置関係のずれによって入浴者が浴槽の中に沈み込むことが防止されるようになっている。
【００４８】
なお、本実施形態においては、前記筒状体２２および前記固定用ベルト３０との間に前記位置ずれ防止部材４０ａ、４０ｂと前記面ファスナ片４５ａ、４５ｂとからなる２種類の位置ずれ防止手段を設けているが、本実施形態に限らず、これら２種類のうちの少なくとも一方を設ければ、これら２つの部材の位置ずれが防止でき、本発明の利点を享受することができる。
【００４９】
最後に、本発明は、上述した実施形態に限定されるものではなく、特許請求の範囲に記載された範囲で種々の変更および改良等が可能であることは言うまでもない。
【００５０】
【発明の効果】
以上説明したように、本発明によれば、前記位置決め部材によって前記担架シートの筒状体と固定用ベルトとの相対的な位置関係のずれが発生しにくい構成となっているため、入浴者を前記担架シートへ載置した際に、前記筒状体と固定用ベルトとが位置ずれを起こし、入浴者が前記担架シートとともに浴槽内へずれ込むことが防止される。
【図面の簡単な説明】
【図１】本発明の入浴用担架の好適実施形態に係る全体構成および該入浴用担架が載置される浴槽を示す斜視図である。
【図２】本発明の入浴用担架に係る担架シートおよび固定用ベルトの平面図である。
【図３】図２におけるＡ-Ａ′線断面図である。
【図４】図２におけるＢ-Ｂ′線断面図である。
【図５】従来の入浴用担架を浴槽の上方に取り付けた状態を示す斜視図である。
【符号の説明】
１    入浴用担架（本発明）
１ａ  入浴用担架（従来構造）
２    浴槽
１０  枠体
１１  左右把手管
１２  上部連結管
１３  下部連結管
１４  ハンドル
１５  ワイヤー
１６  Ｃリング
１７ａ  固定部（上部連結管）
１７ｂ  固定部（下部連結管）
２０  担架シート
２１  ネットシート
２２  筒状体
２３ａ、２３ｂ  補強用ベルト
３０  固定用ベルト
３１  上端部
３２  下端部
４０ａ、４０ｂ  位置ずれ防止部材
４１ａ、４１ｂ  当接面
４５ａ  面ファスナ片（雄形状）
４５ｂ  面ファスナ片（雌形状）
【図１】
0004558972.tif 000002
【図２】
0004558972.tif 000003
【図３】
0004558972.tif 000004
【図４】
0004558972.tif 000005
【図５】
0004558972.tif 000006